(57)【要約】【課題】少ない操作部材でより多くの機能設定、制御を行うことができる動画撮影可能な撮像装置を提供する。【解決手段】回転軸を中心に回転可能であり、且つ第１の存在位置（押下しない位置）と第２の存在位置（押下位置）との間で移動可能に構成された回転式ダイヤルの回転状態、押下、非押下状態を示す信号を、回転式ダイヤル入力回路３１から、例えばマイクロプロセッサから成る制御回路３３に入力し、制御回路３３において、前記回転式ダイヤルの状態を検出し、回転式ダイヤルの回転状態に応じて、メニュー項目、機能、撮像装置の各種設定値の選択、および再生時の速度制御を行い、回転式ダイヤルの存在位置（押下、非押下）に応うじてそれら選択、制御を決定する。【選択図】図３
2007158899.tif 000002
【特許請求の範囲】
【請求項１】
動画撮影可能な撮像装置であって、
回転軸を中心に回転可能であり、且つ互いに所定距離隔てた第１の存在位置と第２の存在位置との間で移動可能に構成された回転体と、
前記回転体の回転状態に応じて再生速度を制御する速度制御手段と、
前記回転体の回転状態に応じてメニュー項目、機能、撮像装置の各種設定値を各々選択する選択手段と、
前記回転体の存在位置に応じて、前記選択手段で選択された要素を決定する決定手段と
を備えたことを特徴とする撮像装置。
【請求項２】
撮像装置の動作モード、表示画面に応じて、前記速度制御手段および選択手段のいずれを動作させるかを割り当てる制御対象機能割当手段を備えたことを特徴とする請求項１に記載の撮像装置。
【請求項３】
前記速度制御手段は、前記回転体の回転量に応じて段階的に速度を切り換えることを特徴とする請求項１に記載の撮像装置。
【請求項４】
前記決定手段は、再生モードと再生一時停止モードとを切り換えて決定することを特徴とする請求項１に記載の撮像装置。
【請求項５】
前記決定手段は、再生モードと早送り、巻き戻しモードとを切り換えて決定することを特徴とする請求項１に記載の撮像装置。
【発明の詳細な説明】
【技術分野】
【０００１】
本発明は、動画撮影可能な撮像装置に関する。
【背景技術】
【０００２】
近年、デジタルスチルカメラやビデオカメラなどの撮像装置は、機能を増加する傾向にあるが、本体の小型化などが進み、それに伴い外部キーの取り付けられる位置、個数も限定され、従来の装置よりも外部キーを減らすことが必要である。
【０００３】
しかしながら、外部キーを減らすことや、他の操作部材を減らす事は、使用者の操作の即時性が低下するので、使用者にとって好ましくない。よってこの問題の解決のために、少ない操作部材でより多くの機能設定を行えるようにすることが要求されている。
【０００４】
撮像装置において特に再生制御には多数のキーが必要となる。再生・停止および早送り・巻き戻し、倍速再生、スロー再生など、従来の撮像装置では、これらの操作を全て外部キーで実現していた。
【０００５】
また従来のビデオテープレコーダーにおいても、例えば下記特許文献１に記載の再生装置のように、再生制御手段は複数の外部キーで実現されていた。
【特許文献１】特開平０４−２５８８３６号公報
【発明の開示】
【発明が解決しようとする課題】
【０００６】
特許文献１では再生速度制御専用に回転操作体を設けているが、その他多数の機能用の操作部材としては外部キーが用いられているため、これらの占有面積が非常に大きい。
【０００７】
このように特許文献１を含めた従来の装置においては、多数の機能を実現するために多くの操作部材が必要であり、近年の要求に答えるには、より少ない操作部材で同様の操作性を実現させる必要がある。
【０００８】
本発明は上記の点に鑑みてなされたものでその目的は、少ない操作部材でより多くの機能設定、制御を行うことができる撮像装置を提供することにある。
【課題を解決するための手段】
【０００９】
本発明の撮像装置は、動画撮影可能な撮像装置であって、回転軸を中心に回転可能であり、且つ互いに所定距離隔てた第１の存在位置と第２の存在位置との間で移動可能に構成された回転体と、前記回転体の回転状態に応じて再生速度を制御する速度制御手段と、前記回転体の回転状態に応じてメニュー項目、機能、撮像装置の各種設定値を各々選択する選択手段と、前記回転体の存在位置に応じて、前記選択手段で選択された要素を決定する決定手段とを備えたことを特徴としている。
【００１０】
また撮像装置の動作モード、表示画面に応じて、前記速度制御手段および選択手段のいずれを動作させるかを割り当てる制御対象機能割当手段を備えたことを特徴としている。
【００１１】
また前記速度制御手段は、前記回転体の回転量に応じて段階的に速度を切り換えることを特徴としている。
【００１２】
また前記決定手段は、再生モードと再生一時停止モードとを切り換えて決定することを特徴としている。
【００１３】
また前記決定手段は、再生モードと早送り、巻き戻しモードとを切り換えて決定することを特徴としている。
【００１４】
すなわち具体的には、複数の外部キーを用いて操作していた再生速度の制御を、通常メニュー項目等の項目選択に用いる回転式ダイヤルにより兼用する。この手段によって、従来複数の外部キーで実現していた操作を回転式ダイヤルにより行う事で、従来複数の操作部材が必要であった操作性が、１つの操作部材により実現可能となる。
【００１５】
例えば、
（１）押下可能な回転式ダイヤル（回転体）の回転状態、押下状態を検出する回転検出部と、上記回転検出部による検出出力に基づいて、メニュー項目等の選択や設定を行う項目選択部（選択手段、決定手段）および設定値変更部（選択手段、決定手段）と、変速再生専用画面において、上記回転検出部による検出出力に基づいて、上記回転式ダイヤルの回転量に応じて再生速度を変化させるように制御を行う再生制御部（速度制御手段）とを備え、項目選択制御と再生速度制御に上記回転式ダイヤルを兼用した。
（２）従来の設定手段としての回転式ダイヤルの使用方法に加えて、再生速度制御機能を回転式ダイヤルに持たせることで、外部キーの削減と、設定手段の統一化を図る。
（３）回転式ダイヤルへの機能の割り当ては、操作を行っている撮像装置のモードや表示画面を元に判断し、その状態に合わせた対象の制御に割り当てる。
（４）再生速度の制御方法として、回転式ダイヤルによりステップ式の切り替えを行い、回転量に合わせて再生→スロー再生→2倍速再生→早送り、というように段階的に速度を切り替えることで、回転式ダイヤルにより再生速度を制御する。
【発明の効果】
【００１６】
（１）本発明によれば、唯一の回転体を操作するだけで、メニュー項目、撮像装置の各種設定値の選択および再生速度の制御を行うことができる。
【００１７】
このため前記選択および再生速度制御用の複数の外部キー等の部品点数を削減することができ、低価格化を実現することができる。
【００１８】
また操作部材が少なくなるため、使用者が理解しなければならない操作手順が簡略化され、使用感や利便性の向上を図ることができる。
【発明を実施するための最良の形態】
【００１９】
以下、本発明の実施形態について図面を参照しながら詳細に説明するが、本発明は下記の実施形態例に限定されるものではない。図１〜図７は本発明をビデオカメラレコーダーに適用した実施形態例を表している。
【００２０】
図１はビデオカメラレコーダー１００の斜視図を表し、（ａ）は液晶パネル部１を開いた状態を示し、（ｂ）は閉じた状態を示している。図２（ａ）は液晶パネル部１の表示画面を見ながら操作を行っている状態を示し、図２（ｂ）は回転式ダイヤル部分の拡大図を示している。
【００２１】
液晶パネル部１は、多方向回転可能なヒンジ２によって、撮影時には図１（ａ）のように本体に対して直交する方向に開くことができ、不使用時にはパネル収納凹部３に図１（ｂ）のように収納され、画像再生時にはパネル収納凹部３内で、図２（ａ）のように表示画面を外周側に向けて配置させることができる。
【００２２】
図１、図２において、４はレンズ、５はビューファインダー、６は電源スイッチ、７はバッテリー、８はカセットカバーである。
【００２３】
９はＡＣアダプターであり、その入力側にはＡＣケーブル１０が差し込まれ、その出力側のＤＣプラグ１１はＤＣＩＮ端子１２に差し込まれる。
【００２４】
ビデオカメラレコーダー１００の本体手前、下部分には、回転および押下可能な回転式ダイヤル１５（本発明の回転体）が設けられている。この回転式ダイヤル１５は、再生速度制御、メニュー項目選択制御等の複数の機能を、１つのダイヤルで操作可能とした。具体的には、後述するように、メニューを表示する画面では回転式ダイヤル１５を用いることで項目選択を行い、記録画像再生時に速度を変えつつ再生するための再生実行画面では、回転式ダイヤル１５を用いることで再生速度、再生方向の選択を行うという機能である。
【００２５】
パネル収納凹部３の壁面には外部キーとしての複数のボタン、すなわちＲＥＳＥＴ（リセット）ボタン２１、イージーダビングボタン２２、タイトルボタン２３、明るさボタン２４、メニューボタン２５、ビデオ操作ボタン２６（停止、巻き戻し、再生、早送り、一時停止）、カウンターリセットボタン２７、時刻ボタン２８、日付ボタン２９が配設されている。
【００２６】
回転式ダイヤル１５は、図２に示すように所定厚みの円板状に形成され、回転軸を中心に回転可能であり、且つダイヤルの径方向に押下することにより、図示実線位置（例えば第１の存在位置）と図示破線位置（例えば第２の存在位置）との間で移動可能に構成されている。
【００２７】
この回転式ダイヤル１５は、図１（ａ）のように撮影時に、液晶パネル部１を開いて外部キー（ビデオ操作ボタン２６等）を有効にした状態で、回転、押下の操作を行うことによりメニュー項目、機能、カメラの設定値等を選択、設定することができる。
【００２８】
また回転式ダイヤル１５は、図２（ａ）のように記録画像再生時に、液晶パネル部１の表示画面を外側に向けてパネル収納凹部３内に配置させて、外部キー、例えばビデオ操作ボタン２６が操作できない状態で、回転、押下の操作を行うことにより、再生モード時におけるメニュー項目、機能等の選択および再生速度の制御が行える。
【００２９】
回転式ダイヤル１５の制御対象としては、メニュー項目選択、項目選択時の設定値変更・確定（例えばストロボ、画面表示などのオン、オフ）、機能選択（例えば複数エフェクト機能から使用する機能の選択）、項目レベル値の変更・確定（例えば音量、フォーカスなどの調整）、複数画面間の切り替え（例えばメニューから通常画面への遷移）などが挙げられる。
【００３０】
次に本実施形態例のシステム構成を図３とともに説明する。図３において３１は回転式ダイヤル入力回路であり、前記回転式ダイヤル１５の回転状態、押下状態に対応した電気信号を出力する。３２は複数の機能を制御するための外部キー入力回路であり、図１（ａ）の各ボタン２１〜２９の操作に対応した電気信号を出力する。
【００３１】
３３は制御回路（例えばマイクロプロセッサ）（速度制御手段、選択手段、決定手段、制御対象機能割当手段）であり、外部キー入力回路３２からの入力電圧をAD変換し、その変換値から現在何のボタンが押されているかを判断する。また、回転式ダイヤル入力回路３１からの回転、押下操作を入力とし、A/D変換によりダイヤルの回転量と押下状態を判断する。それによって、メニューを表示する画面では回転式ダイヤル１５の回転、押下によりメニューの項目選択、項目決定を行い、変速再生画面では記録画像の再生速度、再生速度の選択を行い、記録回路３４へのコマンドを送る。
【００３２】
３５はオンスクリーンディスプレイ回路(以下OSD回路と称する)であり、制御回路３３から送られてきたコマンドを解釈し、VRAM（メモリ）上に作成された表示信号を走査単位で重畳回路３６へ送る。また制御回路３３から送られてきたビットマップデータをVRAM上に展開し、その表示信号を走査単位で重畳回路３６へ送る。
【００３３】
重畳回路３６は、レンズ４、CCD（撮像素子）３７、カメラ信号処理回路３８を通してきた映像信号と、前記OSD回路３５からの表示信号を重畳して出力する。その出力先はLCDパネル３９、ビューファインダー５、LINEOUT（ラインアウト）４０などである。
【００３４】
LCDパネル３９は、重畳回路３６から送られてきた信号により、LCDパネル３９にOSD表示を行う。
【００３５】
レンズ４は、外界の光を集光してCCD３７へ送る。また制御回路３３から受け取ったコントロール信号により、絞り値を変更して撮影画像の拡大量を調節する。
【００３６】
CCD３７は、レンズ４を経由して入力された光信号を電気信号に変換し、カメラ信号処理回路３８へ送る。
【００３７】
カメラ信号処理回路３８は、CCD３７から受け取った電気信号を画像として処理を行い、記録回路３４および重畳回路３６へ映像信号として送る。また制御回路３３からの指示により、映像効果を映像信号に加える。
【００３８】
記録回路３４は、制御回路３３からのコントロール信号の指示により、カメラ信号処理回路３８からの映像信号を記録メディア４１へ記録する。この記録メディア４１は、磁気テープ、ディスク状記録媒体、ハードディスク、固体メモリ等で構成される。
【００３９】
４２は電源回路であり、バッテリー７およびＡＣケーブル１０を供給元とし、制御回路３３への電源供給を行う。また他回路への電源供給は制御回路３３が、他回路と電源回路４２を結ぶ電路に介挿された電源コントロール回路４３（スイッチ等）を操作する（オン、オフする）ことで行われる。
【００４０】
バッテリー７は、電源回路４２へ電源供給をおこなうための電源として働き、ＡＣケーブル１０によって供給された電源を元に電源回路４２によって充電を行うこともできる。
【００４１】
尚LINEOUT４０は、重畳回路３６か送られた映像信号をテレビなど他装置へ出力するための端子である。またビューファインダー５は、LCDパネル３９と同様に、撮影中や再生中に記録画像を確認し、OSD回路３５によって表示される情報を見るための表示装置である。
【００４２】
次に図１〜図３のように構成された装置における、撮像装置の状態、表示画面による制御対象機能の切り替えについて図４のフローチャートとともに説明する。本実施形態例における撮像装置は、動画像の撮影を行うためのＡ撮影モード、記録された動画像を再生するためのＢ再生モードの２つのモードを有し、それぞれのモードで設定値変更、機能制御を行う。
【００４３】
まずステップＳ１において電源がオン状態にあるか否かを判定し、オンではない場合は処理を無効とする（ステップＳ２）。電源がオン状態にある場合はステップＳ３において動作モードを判定し、Ａ撮影モードであればステップＳ４において現在の表示画面の種類を判定する。
【００４４】
現在の表示画面が、Ｃ撮影画面中かＤメニュー表示画面中であれば回転式ダイヤル１５を有効にし（ステップＳ５、Ｓ６）、その他の画面では無効にする（ステップＳ７）。
【００４５】
Ｃ撮影画面ではカメラ設定値の制御を回転式ダイヤル１５により行わせ、Ｄメニュー表示画面ではメニュー項目選択制御を回転式ダイヤル１５により行わせ、その他であれば回転式ダイヤル１５を無効にする。
【００４６】
前記ステップＳ３において、Ｂ再生モードであると判定された場合は、ステップＳ８において現在の表示画面の種類を判定する。そして現在の表示画面がＥ再生実行画面中かＦメニュー表示画面中であれば回転式ダイヤル１５を有効にし（ステップＳ９、Ｓ１０）、その他の画面では無効にする（ステップＳ１１）。
【００４７】
Ｅ再生実行画面では再生速度制御を回転式ダイヤル１５により行わせ、Ｆメニュー表示画面ではメニュー項目選択制御を回転式ダイヤル１５により行わせ、その他であれば回転式ダイヤル１５を無効にする。
【００４８】
Ｃ撮影画面のステップＳ５においては、カメラ信号などの設定値を変化させるために、設定したい項目（デジタルズーム倍率、手振れ補正、赤外線ライトの有無等）を他の外部キーで有効にし、その状態で回転式ダイヤル１５を回転させることで設定値を変更するという処理を行う。
【００４９】
Ｄ、Ｆメニュー表示画面のステップＳ６、Ｓ１０では、選択されている項目が回転式ダイヤル１５の回転操作により変化し、押下操作により実行される。Ｅ再生実行画面のステップＳ９では、記録装置が再生状態であれば、回転式ダイヤル１５の回転操作により再生速度が変化し、再生一時停止状態であれば、回転操作により現在位置が１コマごと前後に移動する。
【００５０】
その他の回転式ダイヤル１５が有効にならない状態（ステップＳ７、Ｓ１１）では、ダイヤルを操作しても処理を行わない。
【００５１】
次にメニュー項目選択制御の状態遷移を図５に示す。メニュー項目選択の手順として、まず図５（ａ）のメニュー画面に入ってから、変更したい項目へ、回転式ダイヤル１５の回転により移動する（図５（ｂ））。
【００５２】
そこで項目決定をダイヤルの押下で行い、項目選択後の設定値制御に移行する（図５（ｃ），（ｄ））。この状態でダイヤルを回転させると、選択された項目の設定値が変化する。設定したい設定値に合わせた状態でダイヤルを押下することでその設定値が決定され、次に項目選択状態（図５（ａ））へと移行する。
【００５３】
図６は変速再生制御の状態遷移を示している。再生モードの再生実行画面が表示された状態で、回転式ダイヤル１５を回転させることで再生速度の変更が行われる。その時点の再生状態が通常再生状態である（図６（ａ）、（ｂ））か、再生一時停止状態である（図６（ｃ），（ｄ））かによって、再生速度の切り替え順序を変更することにより、使用者の要求に合わせた速度調整を行う。
【００５４】
変更の順序は例えば図７のように、再生中に回転式ダイヤル１５を回転させると、ダイヤルの回転量に応じて、１〜３段階、−１〜−３段階というように段階的に速度が変更され、再生一時停止中に回転式ダイヤル１５を回転させると、コマ送り、コマ戻し状態となる。尚再生状態と再生一時停止状態は回転式ダイヤル１５の押下により切り替えられ、再生の開始、停止は外部キー（例えば図１（ａ）のビデオ操作ボタン２６）を使用する。
【００５５】
また他の実施例としては、回転式ダイヤル１５を押下しながら回転させると画像を表示しながら早送り、巻き戻し（ピクチャーサーチ）となり、ダイヤルを押下せずに回転させると画像を表示せずに早送り、巻き戻しとなるように構成しても良い。
【００５６】
このように複数の外部キーにより行っていた、メニュー項目選択、設定値の変更、機能の選択等の各種の操作を、唯一の回転式ダイヤル１５により行えるので、例えば図１（ａ）の前記各ボタン２１〜２９の機能を回転式ダイヤル１５で実行させるように構成することができる。
【００５７】
したがって、操作部材が少なくなるため、使用者が理解しなければならない操作手順が簡略化され、使用感や利便性の向上が図れる。また部品点数削減による低価格化を実現できる。
【００５８】
また、外部キー使用時と比較しても、操作できる機能数は変化せず、使用者の即時性、利便性が損なわれることは無く、従来と同様の操作性を実現できる。さらに、発展的効果として、変速再生時の状態変化に回転式ダイヤルを用いる事で、その回転量に対応させて速度設定を行う事ができ、複数の外部キーにより速度制御を行っていたときよりも直感的な制御が行えるようになる。
【図面の簡単な説明】
【００５９】
【図１】本発明の一実施形態例を表し、（ａ）は液晶パネル部を開いた状態の斜視図、（ｂ）は液晶パネル部を閉じた状態の斜視図。
【図２】本発明の一実施形態例を表し、（ａ）は再生時の斜視図、（ｂ）は要部拡大図。
【図３】本発明の一実施形態例のシステム構成図。
【図４】本発明の一実施形態例における制御対象機能割当手段が行う処理のフローチャート。
【図５】本発明の一実施形態例におけるメニュー項目の選択、決定の操作を表す説明図。
【図６】本発明の一実施形態例における再生速度の変更操作を表す説明図。
【図７】本発明の一実施形態例における再生速度の変更遷移図。
【符号の説明】
【００６０】
１…液晶パネル部、２…ヒンジ、３…パネル収納凹部、４…レンズ、５…ビューファインダー、６…電源スイッチ、７…バッテリー、８…カセットカバー、９…ＡＣアダプター、１０…ＡＣケーブル、１１…ＤＣプラグ、１２…ＤＣＩＮ端子、１５…回転式ダイヤル、２１…リセットボタン、２２…イージーダビングボタン、２３…タイトルボタン、２４…明るさボタン、２５…メニューボタン、２６…ビデオ操作ボタン、２７…カウンターリセットボタン、２８…時刻ボタン、２９…日付ボタン、３１…回転式ダイヤル入力回路、３２…キー入力回路、３３…制御回路、３４…記録回路、３５…オンスクリーンディスプレイ回路、３６…重畳回路、３７…ＣＣＤ、３８…カメラ信号処理回路、３９…ＬＣＤパネル、４０…LINOUT、４１…記録メディア、４２…電源回路、４３…電源コントロール回路。
【図１】
2007158899.tif 000003
【図２】
2007158899.tif 000004
【図３】
2007158899.tif 000005
【図４】
2007158899.tif 000006
【図７】
2007158899.tif 000007
【図５】
2007158899.tif 000008
【図６】
2007158899.tif 000009